(57)【要約】【課題】異なるモードで操作した画像においても検索を容易に行うことができる再生装置を提供する。【解決手段】再生装置は、情報データを記録保持する記録媒体としてのストレージ１０６ａを備える。また、ＣＰＵ１０１は、情報データの操作を記録する記録手段と、記録手段に記録された操作の記録から情報データを再生するリストを作成するリスト作成手段と、リスト作成手段が作成したリストに沿って情報データを再生する再生手段として機能する。【選択図】図１
2009141582.tif 000002
【特許請求の範囲】
【請求項１】
情報データを記録保持する記録媒体と、
前記情報データの操作を記録する記録手段と、
前記記録手段に記録された操作の記録から前記情報データを再生するリストを作成するリスト作成手段と、
前記リスト作成手段が作成した前記リストに沿って前記情報データを再生する再生手段と、
を備えることを特徴とする再生装置。
【請求項２】
一つ以上の前記情報データの再生に関わるモードを備え、前記モードに対応して前記リスト作成手段を変更することを特徴とする請求項１記載の再生装置。
【請求項３】
情報データと前記情報データを操作した記録と前記情報データを操作した記録から作成された再生リストを備える記録媒体。
【発明の詳細な説明】
【技術分野】
【０００１】
本発明は、画像検索を容易にするための再生装置及びその再生装置に着脱される記録媒体に関する。
【背景技術】
【０００２】
再生装置としてのデジタルカメラやデジタルビデオカメラ等に備えられる着脱式の記録媒体の容量が増加している。また、最近では、着脱式の記録媒体として、コンパクトで、消費電力を伴わず且つ、対落下に耐久性を有する大容量のハードディスクが提供されている。
【０００３】
また、ＮＡＮＤ型フラッシュメモリにおいても、数ギガビットの情報量を持ち、再生装置に備えることが可能な安価デバイスも登場している。
【０００４】
また、ＰｉｃｔＢｒｉｄｇｅの規格で知られる技術を利用した、ＰＣを介さずに印刷を行うダイレクト印刷に対応したデジタルカメラ、デジタルビデオカメラやプリンタの普及が進んでいる。
【０００５】
また、ＰＣとデジタルカメラを接続し、以下のような画像データのやりとりを行うシステムも知られている。即ち、デジタルカメラが備える着脱式の記録媒体に記録された画像データをＰＣのアプリケーションの操作により取り出したり、デジタルカメラのＵＩを利用してＰＣのアプリケーションとの連携により画像データをＰＣに送り込むシステムである。
【０００６】
また、安価で且つバックライトの消費電力が小さいデバイスの登場により、携帯機器であるデジタルカメラ、デジタルビデオカメラへのＬＣＤの搭載も進んでいる。
【０００７】
従来では、撮影途中ですぐに着脱式の記録媒体に画像データが一杯になり、デジタルカメラ、デジタルビデオカメラの利用者は、次の撮影ができないと言った状況があった。
【０００８】
しかし、記録媒体の大容量化、デジタルカメラ、デジタルビデオカメラのダイレクト印刷機能、ＰＣへの画像転送機能により、この状況は減って来ており、撮影したデータを着脱式の記録媒体に入れっぱなしにしておくことが多くなった。
【０００９】
そして、ＰＣへ画像を転送して印刷するのではなく、デジタルカメラ、デジタルビデオカメラからの印刷が増えている。また、デジタルカメラの再生機能を利用して記録した画像を見たり、気に入った画像を、ダイレクト印刷機能でプリンタから印刷したり、ＰＣに転送することが行われている。
【００１０】
ところが、デジタルカメラで大容量の記録媒体に大量に記録された画像ファイルから利用者が所望する画像データを選び出すためには、記録された大量の画像データの一枚表示もしくは複数枚表示を行い、所望の画像を探し出さなければならない。
【００１１】
これに対して、予め再生を行いたい一連の画像データにマークを付けておき、これをファイルとして管理し、マークを付けた一連の画像データに対して再生処理を行うことによって、大量の画像から所望の画像を抽出、選択しやすくする技術がある。
【００１２】
さらに、一連の画像データの表示中に、今後表示させたくない画像を取り外す技術がある（特許文献１参照）。
【００１３】
また、特許文献２では、描画入力装置を備える公知のデジタルカメラにおいて、入力したイメージから利用者が所望する画像類似する画像データを検索する技術が提案されている。また、特許文献２では、撮像を検索用画像として、撮像と画像記録用メモリに記録された各画像とを順次比較し、類似度の高い記録画像を取り出して表示する画像検索方法も提案されている。
【特許文献１】特開２００２−２０９１９０号公報
【特許文献２】特開２００５−６３４６５号公報
【発明の開示】
【発明が解決しようとする課題】
【００１４】
しかしながら、デジタルカメラが備える大容量の記録媒体に記録された大量の画像データにマークを付けて管理する場合、利用者が常に意識してマークの管理を行わなければならず、これを怠ると所望の画像が検索できなくなる。
【００１５】
また、上記特許文献２のように検索を行うにしても、イメージ画像を一々覚えておかなければならないし、検索用の画像を準備しなければならない。検索された類似の画像が大量である場合は、常に利用者は大量に検索された類似の画像から所望の画像を一々再検索しなければならない。
【００１６】
また、大容量の記録媒体に記録された大量の画像データから利用者が所望する画像データを一度探し当てたとしても、忘れずにマークを付けるといった操作を行うか、一度検索した手順を再度実行し、画像を探し当てなければならない。
【００１７】
本発明の目的は、異なるモードで操作した画像においても検索を容易に行うことができる再生装置を提供することにある。
【課題を解決するための手段】
【００１８】
上記目的を達成するために、請求項１記載の再生装置は、情報データを記録保持する記録媒体と、前記情報データの操作を記録する記録手段と、前記記録手段に記録された操作の記録から前記情報データを再生するリストを作成するリスト作成手段と、前記リスト作成手段が作成した前記リストに沿って前記情報データを再生する再生手段とを備えることを特徴とする。
【００１９】
請求項３記載の記録媒体は、情報データと前記情報データを操作した記録と前記情報データを操作した記録から作成された再生リストを備える。
【発明の効果】
【００２０】
本発明の再生装置によれば、異なるモードで操作した画像においても検索を容易に行うことができる。
【発明を実施するための最良の形態】
【００２１】
以下、本発明の実施の形態を図面を参照しながら詳細に説明する。
【００２２】
図１は、本発明の実施の形態に係る再生装置としてのデジタルカメラのブロック図である。
【００２３】
図１のデジタルカメラ１００において、ＣＰＵ１０１は、撮像ユニット１０３の制御、表示ユニット１０５の制御、通信ユニット１０７の制御、ＲＴＣ１１０の制御、操作部１０８及びＦキー１０９からの操作を所定の処理に変換する制御を行う。
【００２４】
また、ＣＰＵ１０１は、撮像ユニット１０３より取得したデジタルデータをＪＰＥＧ画像データに変換する制御、ＪＰＥＧ画像を表示ユニット１０５に表示できるように変換する制御を行う。
【００２５】
ＲＯＭ１０２は、ＣＰＵ１０１の制御プログラムを保持（格納）している。撮像ユニット１０３は、光学系レンズ、絞り機構、シャッター、撮像素子を含み、露光した画像をデジタル信号化する。
【００２６】
ＲＡＭ１０４は、撮像ユニット１０３から得られた信号、その信号をＪＰＥＧにエンコードし、ストレージ１０６ａに格納するための一次データを一次保持する。また、ＲＡＭ１０４は、ストレージ１０６ａに格納されているＪＰＥＧデータを表示ユニット１０５に表示できるようにデコードした画像データを一次保持する。
【００２７】
外部ストレージインターフェース（Ｉ／Ｆ）１０６は、ＪＰＥＧ形式にエンコードされた画像ファイルが記録・格納されている着脱式の記録媒体であるストレージ１０６ａとのインターフェースである。
【００２８】
通信ユニット１０７は、画像データをＰＣへ転送する、ＰｉｃｔＢｒｉｄｇｅ対応のプリンタと接続、印刷するためのＵＳＢデバイスを搭載しているユニットである。操作部１０８は、機器が有する機能を利用者が指示操作するためのユニットである。Ｆキー１０９は、利用者が操作部１０８で操作することができない機能を操作するためのものである。
【００２９】
図２は、本発明の実施の形態に係る再生装置としてのデジタルカメラの外観図である。
【００３０】
図２において、レリーズキー２０１は、デジタルカメラ１００にて撮影を行うトリガーとなる。拡大キー２０２は表示した画像を拡大するためのものである。縮小キー２０３は拡大キー２０２にて拡大した画像を縮小するためのものである。
【００３１】
画像転送指定キー２０３ａはＪＰＥＧ画像ファイルを転送指定する。印刷・転送キー２０３ｂは、画像を印刷モードにて印刷し、画像転送モードにてファイル転送を行うためのものである。
【００３２】
矢印キー２０４は、再生した画像ファイルを順次表示させ、拡大表示において表示する画像の一部を指定するためのものである。キー２０５は、再生モード、画像転送モード、印刷モードにおいて、画像を抽出するためのものである。
【００３３】
モード切替スイッチ２０６は、撮影モードと再生モードを切り替えるためのものである。ディスプレイ２０７は再生画像を表示するためのユニットである。ＵＳＢコネクタ２０８は、画像転送モードにてＰＣと接続し、印刷モードにてプリンタと接続するためのＵＳＢケーブルを接続するためのユニットである。
＜撮影機能＞
撮影モードにおける動作について説明する。
【００３４】
撮影モードで、操作部１０８が押されると、撮像部ユニット１０３にて露光された被写体の画像を信号処理し、デジタルデータとしてＲＡＭ１０４に一次保持する。一次保持されたデジタルデータは、ＣＰＵ１０１によってＪＰＥＧに変換され、再度ＪＰＥＧ画像ファイルとしてＲＡＭ１０４に一次保持される。その後、ＪＰＥＧ画像ファイルは、ファイル名を付与してストレージ１０６ａへ格納される。
【００３５】
ＪＰＥＧ画像ファイルのファイル名はＤＣＦ規格に沿った命名規則にて命名される。命名規則は自由文字４文字、ファイル番号４文字、拡張子３文字からなる。本実施の形態における自由文字をＡＢＣＤとし、ファイル番号１番のＪＰＥＧ画像ファイルは、ＡＢＣＤ０００１．ｊｐｇのファイル名でストレージ１０６ａへ記録される。また、ＪＰＥＧ画像ファイルを記録するファイルの管理に際しては、ＤＣＦ規格のディレクトリの定義に従う。
【００３６】
ＤＣＦ規格では、ルートディレクトリ直下にディレクトリ名ＤＣＩＭを備え、ＤＣＩＭディレクトリ直下にＪＰＥＧ画像ファイルを保持するＤＣＦディレクトリを備える。ＤＣＦディレクトリ名は、ディレクトリ番号３文字、自由文字５文字からなる。本実施の形態ではＤＣＦディレクトリは１００ＡＢＣＤＥから始まる。
【００３７】
本実施の形態において、撮影モードにより撮影されたディレクトリ番号、ファイル番号は降順に生成されていくものとする。
【００３８】
図３は、図１におけるストレージに記録されるディレクトリ構成とファイルの関係図である。
【００３９】
符号３０１、３０２はディレクトリ構成を示す。
＜再生モード＞
再生モードについて説明する。
【００４０】
モード切替スイッチ２０６が再生モードに設定されると、ストレージ１０６ａに格納されているＪＰＥＧ画像ファイルを、外部ストレージインターフェース１０６を介してＲＡＭ１０４に読み込む。
【００４１】
ＣＰＵ１０１は、読み込まれたＪＰＥＧ画像ファイルから画像データを作成し、表示ユニット１０５を制御し、ディスプレイ２０７に画像を表示する。この時、最初に表示されるのは、ストレージ１０６ａに記録された、ディレクトリ番号が大きく、且つファイル番号が大きいＪＰＥＧ画像ファイルである。
【００４２】
矢印キー２０４が操作されることにより、ファイル番号が次に大きいＪＰＥＧ画像ファイル、ファイル番号が次に小さいＪＰＥＧ画像ファイルが読み込まれ、ディプレイ２０７に表示される。
【００４３】
本発明において、再生モードでは、ＪＰＥＧ画像ファイルがある一定時間以上表示された場合に、最後に、再生した再生時刻、再生回数が記録される。
【００４４】
図４は、図１のデジタルカメラによって実行される再生モードにおける記録処理の手順を示すフローチャートである。
【００４５】
ステップＳ４０１で、ＪＰＥＧ画像ファイルをストレージ１０６ａから読み出しディスプレイ２０７に表示する。ステップＳ４０２で、ディスプレイ２０７に表示を開始した時刻を記録（表示）し、操作キーの入力を待つ（ステップＳ４０３）。
【００４６】
キー入力があると、ステップＳ４０４で時刻を再度記録し、ステップＳ４０５で、ディスプレイ２０７で時刻を表示して、キー入力があるまでの時間を算出する。ステップＳ４０６で、算出した時間が所定の時間より大きいと判断された場合、ステップＳ４０７で、表示しているＪＰＥＧ画像ファイルが表示を開始した時刻、再生回数の増加を記録する。
【００４７】
別のＪＰＥＧ画像ファイルを表示する場合には、別の表示するＪＰＥＧ画像ファイルが矢印キー２０４の入力により指定され、ステップＳ４０１で再生表示される。ステップＳ４０８で、それ以外のキーが押された場合は、処理を終了する。
【００４８】
次に、ステップＳ４０７におけるＪＰＥＧ画像ファイルに関する再生時刻、再生回数の記録について図５にて説明する。
【００４９】
図５は、再生モードにおける再生操作の記録管理テーブルを示す図である。
【００５０】
図５のテーブルのように、表示されているＪＰＥＧ画像ファイルのファイル名５０１と再生時刻を、年月日時間を記録する再生時刻５０２と所定の時間以上再生されたことを示す再生回数５０３と関連付けて記録する。
【００５１】
再生回数５０３は、所定の時間以上再生された場合、１ずつ増えていき、その際再生時刻は更新される。図５のテーブルの内容は、図３のｐｌａｙ．ｄａｔ３０３のファイルとしてストレージ１０６ａに記録される。
【００５２】
本実施の形態では、再生時刻、再生回数は、ＪＰＥＧ画像ファイルと別に管理を行っているが、ＪＰＥＧ画像ファイルのＥＸＩＦ情報として、再生時刻や再生回数を持たせ管理することも可能である。
＜再生モードにおける画像に対する操作を記録する＞
本発明におけるデジタルカメラ１００では、再生モードにおいて、利用者が所望のＪＰＥＧ画像ファイルを再生表示している状態で、拡大表示、転送画像の指定を行うことができる。
【００５３】
再生表示を行った直後は、ＪＰＥＧ画像ファイルの画像をディスプレイ２０７で全体表示するように、データを作成するが、拡大表示を行うと、画像の一部を拡大しディスプレイ２０７に表示を行う。矢印キー２０４にて表示させる画像を変更することができる。
【００５４】
また、デジタルカメラ１００は、通信ユニット１０７を介してＰＣと接続することが可能であり、且つ、ＰＣにインストールされているアプリケーションと連動し、デジタルカメラ１００から既にＰＣへの転送を指定してある画像を取り出すことが可能である。
【００５５】
本発明におけるデジタルカメラ１００は、ＪＰＥＧ画像ファイルに対する操作を記録することが可能であり、図６にて拡大操作、図７にて転送指定操作について説明する。
【００５６】
図６は、図１のデジタルカメラによって実行される再生モードにおける拡大再生操作処理の手順を示すフローチャートである。
【００５７】
図６（ａ）において、ステップＳ６０１は、ＪＰＥＧ画像ファイルがデコードされ画像データがディスプレイ２０７に全画面表示されている状態である。拡大キー２０２が押されると（ステップＳ６０２）、ステップＳ６０３で、画像データの一部のデータを予め設定されている所定の倍率にて拡大しディスプレイ２０７に表示する処理を行う。
【００５８】
ステップＳ６０４で、その拡大処理を行った時刻を記録し、ステップＳ６０５の拡大表示状態に移行する。ステップＳ６０１の全画面表示状態から別の画像表示を行う操作がなされると（ステップＳ６０７）、一度全画面表示状態を抜ける。
【００５９】
ステップＳ６０５と同意である、図６（ｂ）のステップＳ６１０の拡大表示状態では、更に拡大キー２０２が押されるか、縮小キー２０３が押されるかを待つ。
【００６０】
拡大キー２０２が押されると（ステップＳ６１１）、ステップＳ６１２で、拡大倍率の取得を行い、ステップＳ６１３で、最大の倍率である場合には、ステップＳ６１０と同意であるステップＳ６１５の拡大表示状態になる。
【００６１】
ステップＳ６１３で、拡大倍率が最大でない場合には、ステップＳ６１４で、ステップＳ６０３と同様の画像の拡大処理、表示を行い、ステップＳ６１０と同意のステップＳ６１６の拡大表示状態になる。
【００６２】
縮小キー２０３が押されると（ステップＳ６２０）、ステップＳ６２１で、拡大倍率の取得が行われる。ステップＳ６２２で、拡大倍率が最小でない場合、ステップＳ６２３で、ステップＳ６２３に至る前で拡大表示している拡大倍率の一つ前に定義されている拡大倍率に変更して、画像データを拡大し、ディスプレイ２０７に表示する。
【００６３】
そして、ステップＳ６１０と同意である拡大表示状態ステップＳ６２４に移行する。ステップＳ６２２で、拡大倍率が最小（等倍）である場合、ステップＳ６３０で拡大表示を行う前の表示である画像データをディスプレイ２０７に表示する。
【００６４】
そして、ステップＳ６３１で時刻の記録を行い、ステップＳ６３２で、拡大表示状態であった時間を算出する。ステップＳ６３３で、算出した時間が所定の時間以上であれば、ステップＳ６３４で、拡大表示操作に関わる操作時間の記録と拡大操作回数の増加を行い、ステップＳ６０１と同意であるステップＳ６３５の全画面表示状態に移行する。
【００６５】
ステップＳ６３３で、ステップＳ６３２にて算出した時間が所定の時間内であった場合には、ステップＳ６０１と同意である全画面表示ステップＳ６３６へ移行する。そして、処理を終了する。
【００６６】
図７は、図１のデジタルカメラによって実行される画像転送指定操作処理の手順を示すフローチャートである。
【００６７】
具体的には、ディスプレイ２０７にＪＰＥＧ画像ファイルがデコードされ表示されている状態にて、画像転送指定キー２０３ａが押されたときの動作を示す。
【００６８】
ステップＳ７０１で、ＪＰＥＧ画像ファイルの転送属性を読み込み、ステップＳ７０２で、転送指定されている場合、転送指定属性を転送しないにし（ステップＳ７０３）、転送指定されていない場合、転送指定属性を転送するに変更する（ステップＳ７０４）。
【００６９】
ステップＳ７０５で、転送操作が完了したときの時刻を取得し、ステップＳ７０６で、転送指定キーの操作時刻の記録と操作の回数の増加を行い、終了する。
【００７０】
図８は、図６のステップＳ６３４の拡大操作に関する記録、図７のステップＳ７０６の転送指定操作に関する記録の管理テーブルを示す図である。
【００７１】
図８の符号８０１は、拡大操作、転送指定操作に関わったＪＰＥＧ画像ファイルのファイル名であり、符号８０２は、拡大操作、転送指定操作を行った最終の年月日時間の操作時刻であり、符号８０３は拡大操作を行った回数を示す拡大操作回数である。符号８０４は転送指定を行った回数である。ファイル名８０１から回数８０４を関連付けて管理する。拡大操作、転送指定操作に関する記録の情報は、図３のｏｐｅｒａｔｉｏｎ．ｄａｔのファイル３０３ｂとして記録される。
＜転送モード＞
本発明に係るデジタルカメラ１００は、通信ユニット１０７を介してＰＣと接続することが可能である。また、ＰＣにインストールされているアプリケーションと連動しデジタルカメラ１００から利用者が画像を選択し、印刷・転送キー２０３ｂを押すことで、ＰＣへ画像を送ることができる。
【００７２】
再生モードであるデジタルカメラ１００にて通信ユニット１０７のＵＳＢケーブルを介してＰＣと接続すると、デジタルカメラ１００は画像転送モードに移行する。画像転送モードに以降時、ＰＣ側では予めインストールされているアプリケーションが立ち上がる。
【００７３】
画像転送モードにおいても、再生モードと同様に、矢印キー２０４の左右キーでストレージ１０６ａに記録された画像ファイルを次々に表示させていくことができる。
【００７４】
利用者は転送したい画像が表示されている状態で、印刷・転送キー２０３ｂを押すと、デジタルカメラ１００は、利用者が所望するＪＰＥＧ画像ファイルをＰＣ側に送信する。そして、起動済みのアプリケーションは、ＰＣが備える記録装置の所定の場所にそのＪＰＥＧ画像ファイルを保存する。
【００７５】
画像転送モードに関する操作も、これまで説明を行ってきた手段から類推できるので詳細な手順を説明しないが、画像転送に関する操作記録を行うことができる。
【００７６】
図９は、画像転送モードにおける転送操作の記録管理テーブルを示す図である。
【００７７】
図９の符号９０１は、画像転送モードにてカメラ側から利用者がＰＣへ送信したＪＰＥＧ画像ファイルのファイル名であり、符号９０２は、画像転送した年月日時間を記録した転送時刻である。また、符号９０３は、ファイル名９０１を持つＪＰＥＧ画像ファイルを転送した回数であり、転送が行われるごとに１つ増加される。
【００７８】
ファイル名９０１から回数９０３は、関連付けて、図３のｔｒａｎｓ．ｄａｔファイル３０３ｃで記録管理される。
＜印刷モード＞
再生モードであるデジタルカメラ１００にて通信ユニット１０７のＵＳＢケーブルを介してＰｉｃｔＢｒｉｄｇｅ対応のプリンタと接続すると、デジタルカメラ１００は印刷モードに移行する。
【００７９】
印刷モードにおいても、再生モードと同様に、矢印キー２０４の左右キーでストレージ１０６ａに記録された画像ファイルを次々に表示させていくことができる。利用者は、印刷したい画像が表示されている状態で印刷・転送キー２０３ｂを押すと、デジタルカメラ１００は利用者が所望するＪＰＥＧ画像ファイルをプリンタ側に送信し、プリンタ側にて予めセットされていた印画用紙に印刷を行う。
【００８０】
印刷モードに関する操作も、これまで説明を行ってきた手段から類推できるので詳細な手順を説明しないが、印刷に関する操作記録を行うことができる。
【００８１】
図１０は、印刷モードにおける印刷操作の記録管理テーブルを示す図である。
【００８２】
図１０の符号１００１は、印刷モードにてデジタルカメラ１００側から利用者がプリンタ側へ送信したＪＰＥＧ画像ファイルのファイル名であり、符号１００２は、印刷した年月日時間を記録した印刷時刻である。符号１００３は、ファイル名１００１を持つＪＰＥＧ画像ファイルを印刷した回数であり、印刷が行われるごとに１つ増加される。
【００８３】
ファイル名１００１から回数１００３は関連付けて、図３のｐｒｉｎｔ．ｄａｔファイル３０３ｄで記録管理される。
＜検索機能＞
これまで、本発明に関わるデジタルカメラ１００の再生モード、画像転送モード、印刷モードにおいて、利用者が所望の画像ファイルにて操作を行った記録取得手段と管理手段について説明を行った。
【００８４】
利用者は、再生モード、画像転送モード、印刷モードで操作したＪＰＥＧ画像ファイルを再度、再生、画像転送、印刷する場合、以下の操作を行う。
【００８５】
利用者は、一度操作したＪＰＥＧ画像ファイルに対して、もう一度操作する場合、以下のようにＪＰＥＧ画像ファイルを検索する。
【００８６】
利用者は、再生モード、画像転送モード、印刷モードで、Ｆキー２０５を押すと、図１１に示す画像検索の処理を行う。
【００８７】
図１１は、図１のデジタルカメラによって実行される再生リストの作成処理の手順を示すフローチャートである。
【００８８】
図１１のステップＳ１１０１では、再生モード、画像転送モード、印刷モードのいずれかであるかの確認を行い、ステップＳ１１０２でモードを判断する。再生モードであればステップＳ１１０３で、図１２で示す重み付けテーブルを用い、ＪＰＥＧ画像ファイルに対する重みの総和を算出する。その際、図３の／ＭＳＣディレクトリ３０３に格納されているｐｌａｙ．ｄａｔ３０３ａ、ｏｐｅｒａｔｉｏｎ．ｄａｔ３０３ｂ、ｔｒａｎｓ．ｄａｔ３０３ｃ、ｐｒｉｎｔ．ｄａｔ３０３ｄを利用する。
【００８９】
ステップＳ１１０２で、画像転送モードであれば、ステップＳ１１０４で、図１２で示す重み付けテーブルを用い、ＪＰＥＧ画像ファイルに対する重みの総和を算出する。その際、図３の／ＭＳＣディレクトリ３０３に格納されているｐｌａｙ．ｄａｔ３０３ａ、ｏｐｅｒａｔｉｏｎ．ｄａｔ３０３ｂ、ｔｒａｎｓ．ｄａｔ３０３ｃ、ｐｒｉｎｔ．ｄａｔ３０３ｄを利用する。
【００９０】
ステップＳ１１０２で、印刷モードであれば、ステップＳ１１０５で、図１２で示す重み付けテーブルを用い、ＪＰＥＧ画像ファイルに対する重みの総和を算出する。その際、図３の／ＭＳＣディレクトリ３０３に格納されているｐｌａｙ．ｄａｔ３０３ａ、ｏｐｅｒａｔｉｏｎ．ｄａｔ３０３ｂ、ｔｒａｎｓ．ｄａｔ３０３ｃ、ｐｒｉｎｔ．ｄａｔ３０３ｄを利用する。
【００９１】
算出された値からＪＰＥＧ画像ファイルと重みの総和のリストを降順にて作成し（ステップＳ１１０６）、ステップＳ１１０７で、リストの先頭のＪＰＥＧ画像ファイルを画像データにデコードし、ディスプレイ２０７に表示する。
【００９２】
不図示であるがディスプレイ２０７には、Ｆキー２０５が押されて検索された結果であることを示すアイコンを表示する。
【００９３】
検索されたリストでＪＰＥＧ画像ファイルを表示している状態で矢印キー２０４の左右キーが押されると、ステップＳ１１０６で、作成されたリストの順に表示される。
【００９４】
これによりユーザは、一度操作した画像に対して、再度同様な操作を行ったり、または、別の操作を行う上で容易に所望のＪＰＥＧ画像ファイルを検索することができ、特に、大容量の記録媒体に大量のＪＰＥＧ画像データがある場合に有効である。
【００９５】
本実施の形態では、図３の／ＭＳＣディレクトリ３０３に格納しているｐｌａｙ．ｄａｔ３０３ａ、ｏｐｅｒａｔｉｏｎ．ｄａｔ３０３ｂ、ｔｒａｎｓ．ｄａｔ３０３ｃ、ｐｒｉｎｔ．ｄａｔ３０３ｄに関して記録される情報について数量的な制限を設けない。しかし、これを設けることにより、さらに絞り込んだ検索結果を生むことは容易に推量できる。
【００９６】
本発明の再生装置は、情報データを記録保持する記録媒体としてのストレージ１０６ａを備える。また、ＣＰＵ１０１は、情報データの操作を記録する記録手段と、記録手段に記録された操作の記録から情報データを再生するリストを作成するリスト作成手段と、リスト作成手段が作成したリストに沿って情報データを再生する再生手段として機能する。
【００９７】
ここで、一つ以上の情報データの再生に関わるモードを備え、モードに対応してリスト作成手段を変更する。
【００９８】
また、ストレージ１０６ａは、情報データと情報データを操作した記録と情報データを操作した記録から作成された再生リストを備える。
【００９９】
この構成により、大容量の記録媒体に記録された画像データを再度表示させようとするときに無駄な検索を行わずに済む。
【０１００】
本実施の形態は、撮影機能を有するデジタルカメラ１００を用いて説明を行ったが、撮影機能を有しない再生装置のみであっても同様な効果を発揮させることは容易である。
【図面の簡単な説明】
【０１０１】
【図１】本発明の実施の形態に係る再生装置としてのデジタルカメラのブロック図である。
【図２】本発明の実施の形態に係る再生装置としてのデジタルカメラの外観図である。
【図３】図１におけるストレージに記録されるディレクトリ構成とファイルの関係図である。
【図４】図１のデジタルカメラによって実行される再生モードにおける記録処理の手順を示すフローチャートである。
【図５】再生モードにおける再生操作の記録管理テーブルを示す図である。
【図６】図１のデジタルカメラによって実行される再生モードにおける拡大再生操作処理の手順を示すフローチャートである。
【図７】図１のデジタルカメラによって実行される画像転送指定操作処理の手順を示すフローチャートである。
【図８】図６のステップＳ６３４の拡大操作に関する記録、図７のステップＳ７０６の転送指定操作に関する記録の管理テーブルを示す図である。
【図９】画像転送モードにおける転送操作の記録管理テーブルを示す図である。
【図１０】印刷モードにおける印刷操作の記録管理テーブルを示す図である。
【図１１】図１のデジタルカメラによって実行される再生リストの作成処理の手順を示すフローチャートである。
【図１２】モードと操作記録に関する重み付けテーブルを示す図である。
【符号の説明】
【０１０２】
１０１  ＣＰＵ
１０２  ＲＯＭ
１０３  撮像ユニット
１０４  ＲＡＭ
１０５  表示ユニット
１０６ａ  ストレージ
１０７  通信ユニット
１０８  操作部
【図１】
2009141582.tif 000003
【図２】
2009141582.tif 000004
【図３】
2009141582.tif 000005
【図４】
2009141582.tif 000006
【図５】
2009141582.tif 000007
【図６】
2009141582.tif 000008
【図７】
2009141582.tif 000009
【図８】
2009141582.tif 000010
【図９】
2009141582.tif 000011
【図１０】
2009141582.tif 000012
【図１１】
2009141582.tif 000013
【図１２】
2009141582.tif 000014